(57)【要約】  被包装物の包装を開封する作業において、被包装物を傷つけることなく包装に切れ目を入れ、高速に確実に安全に被包装物を取り出す包装開封装置を提供する。  被包装物の包装に切れ目を入れて開封するための包装開封装置であって、押しボタン部（１０１）への押圧に応じて、吸着手段（１０６）が軸部（１１４）と共に軸部（１１４）の一端方向に押動し、包装（１１６）に吸着手段（１０６）が押接し、吸着手段（１０６）が包装（１１６）を吸着し、その後、押しボタン部（１０１）への前記押圧の解除に応じて、包装（１１６）を吸着したままの吸着手段（１０６）が軸部（１１４）と共に軸部（１１４）の他端方向に引動し、円形切取り用電熱線（１０７）に包装（１１６）が押接し、電池からの通電により円形切取り用電熱線（１０７）が発熱する。
2015132869.tif 000002
【特許請求の範囲】
【請求項１】
被包装物の包装に切れ目を入れて開封するための包装開封装置であって、
本体部に押動自在に挿設された軸部と、
前記軸部の一端に固設された吸着手段又は粘着手段と、
前記軸部の他端に固設された押しボタン部と、
前記軸部が押動自在に挿設される貫通孔部と、前記貫通孔部の一端の外周に接設された溝部とを備えた前記本体部と、
前記貫通孔部の周りの前記本体部に設けられた弾性部材受け部と、
前記弾性部材受け部と前記軸部との間に渡設され、前記軸部を押動自在に支持し、前記軸部を前記軸部の他端方向に付勢する弾性部材と、
前記溝部に嵌設された電熱線と、
前記本体部に内設され、前記電熱線に通電するべき電池が収納される電池収納部と、
を備え、
前記押しボタン部への押圧に応じて、前記吸着手段又は粘着手段が前記軸部と共に前記軸部の一端方向に押動し、前記包装に前記吸着手段又は粘着手段が押接し、前記吸着手段又は粘着手段が前記包装を吸着し又は粘着し、その後、前記押しボタン部への前記押圧の解除に応じて、前記包装を吸着し又は粘着したままの前記吸着手段又は粘着手段が前記軸部と共に前記軸部の他端方向に引動し、前記電熱線に前記包装が押接し、前記電池からの通電により前記電熱線が発熱することを特徴とする、包装開封装置。
【発明の詳細な説明】
【技術分野】
【０００１】
本発明は、塩化ビニール、プラスチック、ゴムなどで包装された被包装物の包装を開封する作業において、被包装物を傷つけることなく包装に切れ目を入れ、高速に確実に安全に被包装物を取り出す包装開封装置に関するものである。
【背景技術】
【０００２】
従来より、塩化ビニール等で包装された被包装物の包装を開封する場合には、カッターナイフ等の刃物を用いて包装に切れ目を入れて包装を捲り取り、引き剥がす方法が採られている。【０００３】
しかし、このような方法によると、刃物が被包装物まで傷つけてしまうことがあり、これを防止しようとして力加減を弱くした場合には、その力加減が弱すぎると包装をうまく切ることができない。また、被包装物をなるべく傷つけない位置に刃を入れるべく事前検討が必要である。更にまた、誤って刃物で手を切ってしまう等の危険も伴い、目や手先が不自由なお年寄り等においては、こういった作業が大変困難である場合も多い。【０００４】
かかる困難性を回避する手段として、刃物を使わずに開封できるように破り口が設けられている包装も存在する。【０００５】
しかし、目が不自由なお年寄り等においては、あるかどうかも定かではない破り口を探すのが大変であり、破り口の導入部分が見つからないこともあり、破り口の導入部分を見つけて引っ張ったら途中で切れてしまうなどのトラブルも多い。【０００６】
先行技術に、硬貨の包装を電熱線で溶断して包装を解く装置があるが（特許文献１参照）、該装置は被包装物を傷つけないように包装と被包装物とを引き離す技術を有しておらず、かかる技術に関しては記載も示唆もされていない。
【先行技術文献】
【特許文献】
【０００７】
【特許文献１】特開平８−２０７９１２号公報
【発明の概要】
【発明が解決しようとする課題】
【０００８】
解決しようとする問題点は、被包装物の包装を開封する作業において、被包装物を傷つけることなく包装に切れ目を入れ、高速に確実に安全に被包装物を取り出すことが困難な点である。
【課題を解決するための手段】
【０００９】
本発明は、被包装物の包装を開封する作業において、被包装物を傷つけることなく包装に切れ目を入れ、高速に確実に安全に被包装物を取り出すために、包装を吸着し又は粘着して引動して被包装物と包装とを引き離してから該包装に電熱線で切れ目を入れることを最も主要な特徴とする。
【発明の効果】
【００１０】
本発明の包装開封装置は、包装を吸着し又は粘着して引動して被包装物と包装とを引き離してから該包装に電熱線で切れ目を入れるので、被包装物を傷つけることなく包装に切れ目を入れ、高速に確実に安全に被包装物を取り出すことができるという利点がある。
【図面の簡単な説明】
【００１１】
【図１】本発明の実施例１の全体の斜視図
【図２】本発明の実施例１の平面図
【図３】本発明の実施例１の底面図
【図４】図３の吸着手段１０６付近の部分拡大図
【図５】図２の５−５線から見た、吸着手段１０６付近の部分断面図
【図６】図５の押しボタン部１０１が押されて包装１１６を吸着した時の部分断面図
【図７】本発明の実施例１の回路の概略図
【図８】本発明の実施例２の全体の斜視図
【図９】本発明の実施例２の平面図
【図１０】本発明の実施例２の底面図
【図１１】図１０の粘着手段２０４付近の部分拡大図
【図１２】図９の１２−１２線から見た、粘着手段２０４付近の部分断面図
【図１３】図１２の押しボタン部２０１が押されて包装２１３を粘着した時の部分断面図
【図１４】本発明の実施例２の回路の概略図
【発明を実施するための形態】
【００１２】
被包装物の包装を開封する作業において、被包装物を傷つけることなく包装に切れ目を入れ、高速に確実に安全に被包装物を取り出すという目的を、簡単な機構により実現した。
【００１３】
請求項１に記載の「前記弾性部材受け部と前記軸部との間に渡設され」は、「前記弾性部材受け部と前記軸部との間に（前記押しボタン部その他のものを介して）渡設され」た場合を含む概念である。なお、請求項１に記載の「前記電池からの通電により前記電熱線が発熱する」のは、請求項１に記載の「その後」であるが、該「前記電池からの通電」を開始する時期は、該「その後」であるか否かを問わないし、該「前記電熱線が発熱」を開始する時期は、該「その後」であるか否かを問わないのは言うまでもない。
【実施例１】
【００１４】
図１から図７は、本発明の請求項１の実施例である。図１は、本発明の実施例１の全体の斜視図である。図２は、本発明の実施例１の平面図である。図３は、本発明の実施例１の底面図である。図４は、図３の吸着手段１０６付近の部分拡大図である。図５は、図２の５−５線から見た、吸着手段１０６付近の部分断面図である。図６は、図５の押しボタン部１０１が押されて包装１１６を吸着した時の部分断面図である。図７は、本発明の実施例１の回路の概略図である。【００１５】
本発明の実施例１の包装開封装置は、被包装物の包装に切れ目を入れて開封するための包装開封装置であって、本体部１００に押動自在に挿設された軸部１１４と、軸部１１４の一端に固設された吸着手段１０６と、軸部１１４の他端に固設された押しボタン部１０１と、電源スイッチ１０２と、円形切取りスイッチ１０３と、四角形切取りスイッチ１０４と、軸部１１４が押動自在に挿設される貫通孔部１１１と、貫通孔部１１１の一端の外周に接設された円形電熱線用溝部１０９と四角形電熱線用溝部１１０と、貫通孔部１１１の周りの本体部１００に設けられた弾性部材受け部１１３と、弾性部材受け部１１３と軸部１１４との間に渡設され、軸部１１４を押動自在に支持し、軸部１１４を軸部１１４の他端方向に付勢する弾性部材１１５と、円形電熱線用溝部１０９に嵌設された円形切取り用電熱線１０７と、四角形電熱線用溝部１１０に嵌設された四角形切取り用電熱線１０８と、本体部１００に内設され、円形切取り用電熱線１０７又は四角形切取り用電熱線１０８に通電するべき電池１１７が収納される電池収納部と、を備える。【００１６】
吸着手段１０６は、吸盤が適しており、望ましくは吸着部が粘着性軟質樹脂材又は粘着性ジェルからなるものが最適である。電源スイッチ１０２は、１回押す毎にオン・オフを交互に繰り返すトグルスイッチになっており、収納時における円形切取り用電熱線１０７及び四角形切取り用電熱線１０８の誤作動を防止する。円形切取りスイッチ１０３及び四角形切取りスイッチ１０４はプッシュスイッチであり、押している間にスイッチがオンになり、離すとオフになる。実施例１では、円形切取りスイッチ１０３又は四角形切取りスイッチ１０４のいずれかを選択することにより、切取りの形として円形又は四角形を選択できるが、特に形を限定するものではない。弾性部材１１５は、実施例１の圧縮コイルばねの他、ゴム素材や板ばね等が挙げられる。【００１７】
被包装物の包装を開封する作業において、本発明の実施例１の包装開封装置の使用者は、図１の本体部１００の左手前部分を握り、電源スイッチ１０２を押して電源をオンにして、図１の本体部１００の右奥部分の底面を包装面に押し当て、押しボタン部１０１を押す。そうすると、図６のように軸部１１４と共に吸着手段１０６が包装１１６に押接されて、吸着手段１０６に包装１１６が吸着する。その後、押しボタン部１０１から指を離すと、包装１１６を吸着したままの吸着手段１０６は軸部１１４と共に元の位置に戻ろうとするが、包装１１６を吸着したままであるため、包装１１６が円形切取り用電熱線１０７と四角形切取り用電熱線１０８とに押接された状態になり、完全には元の位置には戻らない。そこで、使用者が、円形に切れ目を入れたい場合には円形切取りスイッチ１０３を、四角形に切れ目を入れたい場合には四角形切取りスイッチ１０４を押すと、円形切取り用電熱線１０７又は四角形切取り用電熱線１０８に通電され発熱する。このとき、被包装物と包装１１６とが引き離されているため、被包装物を傷つけることなく、包装１１６のみに電熱線で切れ目を入れることができる。包装１１６に切れ目が入り、押しボタン部１０１が完全に元の位置に戻るのを確認して、円形切取りスイッチ１０３又は四角形切取りスイッチ１０４から指を離し、円形切取り用電熱線１０７又は四角形切取り用電熱線１０８への通電を止める。この切れ目は完全な円形又は完全な四角形ではなく一部が欠損しているので、切れ目を摘み、該欠損部方向に向けて引き剥がすことにより、簡単に包装を開封することができる。電源スイッチ１０２をもう一度押して電源をオフにして作業を完了する。
【実施例２】
【００１８】
図８から図１４は、本発明の請求項１の実施例である。図８は、本発明の実施例２の全体の斜視図である。図９は、本発明の実施例２の平面図である。図１０は、本発明の実施例２の底面図である。図１１は、図１０の粘着手段２０４付近の部分拡大図である。図１２は、図９の１２−１２線から見た、粘着手段２０４付近の部分断面図である。図１３は、図１２の押しボタン部２０１が押されて包装２１３を粘着した時の部分断面図である。図１４は、本発明の実施例２の回路の概略図である。【００１９】
本発明の実施例２の包装開封装置は、被包装物の包装に切れ目を入れて開封するための包装開封装置であって、本体部２００に押動自在に挿設された軸部２１１と、軸部２１１の一端に固設された粘着手段２０４と、軸部２１１の他端に固設された押しボタン部２０１と、電源スイッチ２０２と、切取りスイッチ２０８と、軸部２１１が押動自在に挿設される貫通孔部２０７と、貫通孔部２０７の一端の外周に接設された溝部２０６と、貫通孔部２０７の周りの本体部２００に設けられた弾性部材受け部２１０と、弾性部材受け部２１０と軸部２１１との間に渡設され、軸部２１１を押動自在に支持し、軸部２１１を軸部２１１の他端方向に付勢する弾性部材２１２と、溝部２０６に嵌設された電熱線２０５と、本体部２００に内設され、電熱線２０５に通電するべき電池２１４が収納される電池収納部と、を備える。【００２０】
粘着手段２０４として用いられる粘着剤の構成材料は、天然ゴム系、合成ゴム系、アクリル樹脂系、シリコーン樹脂系、ポリエステル樹脂系等が挙げられる。これらの粘着剤は、１種単独で又は２種以上を組み合わせて用いることができる。また、粘着手段２０４は、繰り返し剥がしたり粘着したりできるリワーク性を有することが必要であり、そのためには、主剤に対する硬化剤の配合比率を高くして粘着剤の架橋密度を高めるか、又は、粘着剤の主剤の分子量を高くすることが有効である。粘着手段２０４の粘着力は、弾性部材２１２の反発力では剥がれないとともに、それより大きな力で引き剥がすことができる粘着強度を有する必要がある。電源スイッチ２０２は、１回押す毎にオン・オフを交互に繰り返すトグルスイッチになっており、収納時における電熱線２０５の誤作動を防止する。切取りスイッチ２０８はプッシュスイッチであり、押しボタン部２０１が押された状態でスイッチがオンになり、押しボタン部２０１が完全に元に戻った状態でスイッチがオフになる。【００２１】
被包装物の包装を開封する作業において、本発明の実施例２の包装開封装置の使用者は、図８の本体部２００の左手前部分を握り、電源スイッチ２０２を押して電源をオンにして、図８の本体部２００の右奥部分の底面を包装面に押し当て、押しボタン部２０１を押す。そうすると、図１３のように軸部２１１と共に粘着手段２０４が包装２１３に押接されて、粘着手段２０４に包装２１３が粘着するとともに、切取りスイッチ２０８の内部で＋端子２１５と−端子２１６とが接続されて切取りスイッチ２０８がオンになる。その後、押しボタン部２０１から指を離すと、包装２１３を粘着したままの粘着手段２０４は軸部２１１と共に元の位置に戻ろうとするが、包装２１３を粘着したままであるため、包装２１３が発熱した電熱線２０５に押接された状態になり、速やかに溶断される。このとき、被包装物と包装２１３とが引き離されているため、被包装物を傷つけることなく、包装２１３のみに電熱線２０５で切れ目を入れることができる。包装２１３に切れ目が入り、押しボタン部２０１が完全に元の位置に戻ると、図１２のように、切取りスイッチ２０８の内部で＋端子２１５と−端子２１６との接続が解除されて切取りスイッチ２０８がオフになり、電熱線２０５への通電を止める。この切れ目は完全な円形ではなく一部が欠損しているので、切れ目を摘み、該欠損部方向に向けて引き剥がすことにより、簡単に包装を開封することができる。電源スイッチ２０２をもう一度押して電源をオフにして作業を完了する。
【産業上の利用可能性】
【００２２】
本発明の包装開封装置は、被包装物を傷つけることなく包装に切れ目を入れ、高速に確実に安全に被包装物を取り出すことができるため、目や手先が不自由な人が使用するのに特に有用である。
【符号の説明】
【００２３】
１００    本体部
１０１    押しボタン部
１０２    電源スイッチ
１０３    円形切取りスイッチ
１０４    四角形切取りスイッチ
１０５    電池蓋
１０６    吸着手段
１０７    円形切取り用電熱線
１０８    四角形切取り用電熱線
１０９    円形電熱線用溝部
１１０    四角形電熱線用溝部
１１１    貫通孔部
１１２    鍔部
１１３    弾性部材受け部
１１４    軸部
１１５    弾性部材
１１６    包装
１１７    電池
２００    本体部
２０１    押しボタン部
２０２    電源スイッチ
２０３    電池蓋
２０４    粘着手段
２０５    電熱線
２０６    溝部
２０７    貫通孔部
２０８    切取りスイッチ
２０９    鍔部
２１０    弾性部材受け部
２１１    軸部
２１２    弾性部材
２１３    包装
２１４    電池
２１５    ＋端子
２１６    −端子
【図１】
2015132869.tif 000003
【図２】
2015132869.tif 000004
【図３】
2015132869.tif 000005
【図４】
2015132869.tif 000006
【図５】
2015132869.tif 000007
【図６】
2015132869.tif 000008
【図７】
2015132869.tif 000009
【図８】
2015132869.tif 000010
【図９】
2015132869.tif 000011
【図１０】
2015132869.tif 000012
【図１１】
2015132869.tif 000013
【図１２】
2015132869.tif 000014
【図１３】
2015132869.tif 000015
【図１４】
2015132869.tif 000016
【国際調査報告】
2015132869.tif 000017
2015132869.tif 000018